(57)【特許請求の範囲】
【請求項１】
開口部が形成された包装体の内部に複数枚のシートが重ねられて収納され、最上部のシートの取り出し端が前記開口部に現われ、この開口部から前記シートを順に取り出し可能とされた積層シート包装体において、
前記開口部は、開口幅の長い縦方向と開口幅が前記縦方向よりも短い幅方向とを有しており、開口部の縦方向が、前記シートの取り出し端の延びる方向と直交しており、
前記包装体の表面には、前記開口部を覆う繰返し剥離自在な蓋材が接着され、前記蓋材は、基端部とこの基端部に向けて蓋材を剥がす摘み部とを有し、前記基端部が前記開口部の縦方向に沿って設けられ、前記蓋材の摘み部から基端部への剥がし方向が前記開口部の幅方向へ向けられていることを特徴とする積層シート包装体。
【発明の詳細な説明】
【０００１】
【発明の属する技術分野】
本発明は、硬質容器またはフィルムやシートなどの包材で形成された包装体内に、ティッシュペーパーまたはウェットティッシュなどのシートが多数枚重ねられて収納された積層シート包装体に関するものであり、特に、前記積層シート包装体の開口部に現われている最上部のシートを容易かつ確実に摘み出すことができる積層シート包装体に関する。
【０００２】
【従来の技術】
図３（Ａ）は、従来のティッシュペーパーやウェットティッシュなどのシートを順次取り出し可能にした積層シート包装体を示している。また、図３（Ｂ）は、積層シート包装体１を図３（Ａ）の直線Ｂ−Ｂにおいて紙面垂直方向に切断した時の断面図である。
各シートＳ１、Ｓ２、Ｓ３は折り畳まれ、順に重ねられている。このようなシートは多数重ねられて積層シートを形成している。積層シートは積層シート包装体１に収納されている。積層シート包装体１を形成しているのは、例えば、表面側から順にＰＥＴ（ポリエチレンテレフタレート）フィルム、アルミニウム箔、シーラント層が積層されたラミネートフィルム（積層フィルム）などである。このラミネートフィルムは、積層シート包装体の底面側で縦シールされて縦シール部１ｂが形成されているとともに、前後両端部分が横シールされて横シール部１ａ，１ａが形成され、これによりほぼ立方形状の軟質な密封された積層シート包装体１が形成されている。
【０００３】
そして、積層シート包装体１に前記ティッシュなどの内容物を順に取り出す開口部２が形成されている。この開口部２は、開口幅の長い縦方向（ｉ）と開口幅が前記縦方向よりも短い幅方向（ｉｉ）を有しており、前記開口部２の縦方向（ｉ）が前記シートの取り出し端Ｓａの延びる方向と平行になっている。
また、図４のように、前記開口部２は、感圧接着剤などの粘着層を有し開口部２の周辺部に繰返し剥離自在に接合された蓋材３で覆われていることもある。蓋材３の先端部は、積層シート包装体１Ａの表面に粘着されていない摘み部３ａである。この先端部を摘まんで蓋材３を積層シート包装体１Ａの表面から引き剥がし、基端部３ｂが積層シート包装体１Ａから離れないところまで蓋材３を引き上げて、開口部２からシートを取り出す。
【０００４】
【発明が解決しようとする課題】
しかし、図３（Ａ）に示す積層シート包装体では、以下の欠点がある。
通常、積層シート包装体１からシートを取り出す時は、シートの取り出し端Ｓａを手指で摘みあげ、開口部２から引っ張り出す。このとき、指は取り出し端Ｓａが延びる方向と直角方向に動いて、シートの取り出し端Ｓａを挟み込もうとする。しかし、開口部２の幅方向（ｉｉ）の開口幅は短くなっているので、シートを取り出すために指を積層シート包装体１の中に入れる時に指を広げられない。指を広げられない状態で取り出し端Ｓａを摘まむのは、広げた状態から摘まむことに比べて注意が必要となり、取り出しにくい。
一方、開口幅の長い縦方向（ｉ）に沿って指を動かし、シートを摘み上げようとしても、取り出し端Ｓａが延びる方向に沿って指を動かすことになるので、取り出し端Ｓａを挟み込むことができず、開口部から確実に引っ張り出すのは困難になる。
【０００５】
また、図４に示す積層シート包装体１Ａでは、以下の欠点がある。
この積層シート包装体１Ａは、蓋材３が開口部の開口幅の長い縦方向（ｉ）に沿って引き剥がされるため、開口部２を完全に露出させるまで蓋材３を引き剥がす距離が長くなり、開口部２の開放動作が面倒である。また蓋材３が縦方向（ｉ）に向って長いものとなるため、蓋材３を剥がして再度閉じた時に蓋材３または包材にしわが寄って開口部２を確実に閉鎖できないことがある。
【０００６】
本発明は、上記従来の課題を解決するためのものであり、積層シート包装体からシートを取り出す時に、余分な注意を必要とせず、容易かつ確実にシートを取り出せる積層シート包装体を提供することを目的とする。
また本発明は、表面に開口部を覆う蓋材が接着されている積層シート包装体において、蓋材を短い距離だけ剥がすことで開口部を露出させることが出来る積層シート包装体を提供することを目的とする。
【０００７】
【課題を解決するための手段】
本発明は、開口部が形成された包装体の内部に複数枚のシートが重ねられて収納され、最上部のシートの取り出し端が前記開口部に現われ、この開口部から前記シートを順に取り出し可能とされた積層シート包装体において、
前記開口部は、開口幅の長い縦方向と開口幅が前記縦方向よりも短い幅方向とを有しており、開口部の縦方向が、前記シートの取り出し端の延びる方向と直交しており、
前記包装体の表面には、前記開口部を覆う繰返し剥離自在な蓋材が接着され、前記蓋材は、基端部とこの基端部に向けて蓋材を剥がす摘み部とを有し、前記基端部が前記開口部の縦方向に沿って設けられ、前記蓋材の摘み部から基端部への剥がし方向が前記開口部の幅方向へ向けられていることを特徴とするものである。
【０００８】
本発明の積層シート包装体は、開口幅の長い縦方向が取り出し端の延びる方向と直角方向となっているので、シートの取り出し端を指で摘まむ時に指を広げた状態から摘まむことができ、余分な注意の必要がなくなりシートを容易かつ確実に取り出せる。
【０００９】
この構造では、蓋材が引き剥がされる距離は、基端部と摘み部を結ぶ線が前記開口部の縦方向へ向けられている従来の構造より短くなる。蓋材が引き剥がされる距離が短くなると、開口部を露出させやすくなり、また開口部を閉じた時に蓋材または包材にしわが寄りにくくなる。
【００１０】
【発明の実施の形態】
以下、本発明を、図面を参照しながら説明する。
図１は本発明の積層シート包装体１Ｂを示す平面図である。この積層シート包装体１Ｂを構成する包材フィルムは、表面（外側）から順に、ポリエチレンテレフタレート（ＰＥＴ）フィルム、アルミニウム箔、いわゆるシーラントとよばれるヒートシール性の２軸延伸ポリプロピレン（ＣＰＰ）などが順に積層されて、互いに接着された積層フィルムである。または、ＰＥＴフィルムにアルミニウムまたはシリカまたはアルミナが蒸着されたもので、内面にヒートシール製のフィルムが重ねられているものでもよい。
【００１１】
前記ヒートシール製の包材フィルムが積層シート包装体１Ｂの内側に向けられて、内容物となるティッシュが包まれる。各ティッシュは、折り畳まれ、順に多数重ねられて積層シート構造を形成している。そして、包材フィルムの内面どうしが縦シール部（図示せず）で接合され、さらに、横シール部１ａ，１ａにおいて接合されて内部が密閉される。これらシール部は包材フィルムの内面ヒートシール性フィルムどうしが合わせられ、押圧され且つ加熱されて熱溶着されることにより形成される。包材フィルムの表面には商品のマークや取り扱いの文字などが印刷されている。
【００１２】
積層シート包装体１Ｂは携帯可能となっており、表側には、内容物となるティッシュを順に取り出す楕円状または長円状あるいは長方形状の開口部２が形成されている。この開口部２は、開口幅の長い縦方向（ｉ）と開口幅が前記縦方向よりも短い幅方向（ｉｉ）を有しており、包装体内の最上部のティッシュの取り出し端Ｓａが前記開口部２に現われている。そして、開口部２の縦方向（ｉ）が前記ティッシュの取り出し端Ｓａの延びる方向と直交している。従って、ティッシュの取り出し端Ｓａを摘まむ時に、指を縦方向（ｉ）に沿って広げた状態から摘まむことができ、余分な注意の必要がなくなり、シートを容易かつ確実に取り出せる。
【００１３】
図２は、本発明の他の実施の形態を示す斜視図である。この積層シート包装体１Ｃは、図１の積層シート包装体１Ｂの表面に、開口部２を完全に覆うことのできる蓋材３を設けたものである。蓋材３は、開口部２の周辺において、積層シート包装体１Ｃの表面に感圧接着剤などの粘着層を介して繰返し剥離自在に接合されている。感圧接着剤はアクリル系の糊剤、または、可塑剤を含んだポリ塩化ビニル組成物や、エチレン−酢酸ビニル共重合体に塩化ビニルモノマーがグラフト重合されたグラフト共重合体などのグラフトマーを主体としたものである。
【００１４】
蓋材３の先端部には、前記感圧接着剤が設けられておらず、先端部は、積層シート包装体１Ｃに接着されない摘み部３ａとなっている。蓋材３は摘み部３ａから基端部３ｂへ向って剥がされる。摘み部から基端部への剥がし方向が開口部２の開口幅の短い幅方向（ｉｉ）へ向けられている。
【００１５】
積層シート包装体１Ｃを構成する包材フィルム（積層フィルム）には、あらかじめ開口部２の輪郭を形成するミシン目状の切り込み線が形成されている。積層シート包装体１Ｃの製造過程において、蓋材３が積層シート包装体１Ｃの表面に対し、前記粘着層を介して接着される。使用時に、蓋材３を剥がすと前記切り込み線で囲まれた部分の包材が、蓋材３の裏面に接着されたまま蓋材３とともに剥がされ、このとき、前記切り込み線の部分で積層シート包装体１Ｃから分離され、分離された包材は蓋材３の裏面に接着されたままとなる。そして、積層シート包装体１Ｃに開口部２が開口する。このように開口部２が開口するまで積層シート包装体１Ｃは密閉状態に保たれているので積層シート包装体１Ｃの中に化粧品又は薬剤が含浸されたウェットティッシュなどが入れられた時に、これらの乾燥を防ぐことができる。積層シート包装体１Ｃを構成する包材に含まれているアルミニウム箔層は水や酸素を透過せず気密性に優れているので、乾燥を防ぐためにも有用である。
【００１６】
この実施の形態においても、開口部２の縦方向（ｉ）が前記ティッシュの取り出し端Ｓａの延びる方向と直交しているのでティッシュの取り出し端Ｓａを摘まむ時に、指を縦方向（ｉ）へ広げた状態から摘まむことができ、余分な注意の必要がなくなり、シートを容易かつ確実に取り出せる。
【００１７】
また、蓋材３を引き剥がす距離は、基端部３ｂと摘み部３ａを結ぶ線が前記開口部の横方向（ｉｉ）へ向けられているため、図３に示す従来の構造より短くなっている。したがって、蓋材３を剥がす時に開口部２がすぐに現われ，開放動作が楽である。また、蓋材３を閉じるときに、蓋材３または包材にしわが寄りにくくなる。その結果、蓋材３によって開口部２が完全に被われるようになる。
なお、積層シート包装体１Ｂ及び１Ｃは、紙やプラスチックで形成された箱型の容器などであってもよい。また、開口部２の形状は、楕円形状に限らず、スリット状に開けられているものであってもよい。
【００１８】
【発明の効果】
以上のように、本発明では複数枚のシートが重ねられて収納されている積層シート包装体からシートを取り出す開口部の縦方向を前記シートの取り出し端Ｓａの延びる方向に直交させることにより、シートの取り出し端Ｓａを摘まむ時に、指を広げた状態から摘まむことができ、余分な注意の必要がなくなり、シートを容易かつ確実に取り出せる。
また、表面に開口部を覆う蓋材が接着されている積層シート包装体において、前記蓋材を、基端部とこの基端部に向けて蓋材を剥がす方向を前記開口部の幅方向へ向けることにより、蓋材が引き剥がされる距離を短くできる。
【図面の簡単な説明】
【図１】本発明の積層シート包装体を示す平面図。
【図２】本発明の他の実施の形態の積層シート包装体を示す斜視図。
【図３】（Ａ）は従来の積層シート包装体の平面図、（Ｂ）は従来の積層シート包装体を図３（Ａ）の直線Ｂ−Ｂにおいて紙面垂直方向に切断した時の断面図。
【図４】他の従来例の積層シート包装体を示す斜視図。
【符号の説明】
１、１Ａ、１Ｂ、１Ｃ  積層シート包装体
１ａ  横シール部
２  開口部
Ｓ１、Ｓ２、Ｓ３  シート
Ｓａ  取り出し端
３  蓋材
３ａ  摘み部
３ｂ  基端部
（ｉ）縦方向
（ｉｉ）横方向
【図１】
0003602340.tif 000002
【図２】
0003602340.tif 000003
【図３】
0003602340.tif 000004
【図４】
0003602340.tif 000005